(57)【要約】【課題】天板付き家具の耐震性を一層高めることができると共に、天板表面の作業領域を天板２枚分以上に広げることができる家具連結具および天板延長家具を提供する。【解決手段】天板の端面同士が所定の間隔を空けて向かい合うような向きで配置された一対の天板付き家具の前記天板間に掛け渡されるように配置される連結具本体と、前記連結具本体を、前記一対の天板付き家具の天板の裏面に、または、前記一対の天板付き家具の天板の前記向かい合う端面に隣接する他の端面に、固定するための固定部材と、前記一対の天板付き家具の天板の前記向かい合う端面間に配置されると共に前記連結具本体によって裏面を支持される天板延長用板部材と、を備えたことを特徴とする。【選択図】図１
2015089446.tif 000002
【特許請求の範囲】
【請求項１】
天板の端面同士が所定の間隔を空けて向かい合うような向きで配置された一対の天板付き家具の前記天板間に掛け渡されるように配置される連結具本体と、
前記連結具本体を、前記一対の天板付き家具の天板の裏面に、または、前記一対の天板付き家具の天板の前記向かい合う端面に隣接する他の端面に、固定するための固定部材と、
前記一対の天板付き家具の天板の前記向かい合う端面間に配置されると共に前記連結具本体によって裏面を支持される天板延長用板部材と、
を備えたことを特徴とする家具連結具。
【請求項２】
前記連結具本体には、前記天板延長用板部材の裏面に当接可能な当接部材が、鉛直方向に高さ位置可変に設けられている
を更に備えたことを特徴とする請求項１に記載の家具連結具。
【請求項３】
前記連結具本体の少なくとも一部は、前記天板延長用板部材の裏面と対向するように配置されており、当該一部には、ネジ穴が設けられており、
前記当接部材は、前記ネジ穴に螺合されたネジ部材からなる
ことを特徴とする請求項２に記載の家具連結具。
【請求項４】
前記天板延長用板部材の裏面のうち前記ネジ部材に対応する部分には、窪みが形成されている
ことを特徴とする請求項３に記載の家具連結具。
【請求項５】
前記連結具本体は、前記一対の天板付き家具の天板の裏面側に配置されており、
前記固定部材は、前記連結具本体を前記一対の天板付き家具の天板の裏面に固定するようになっている
ことを特徴とする請求項１乃至４のいずれかに記載の家具連結具。
【請求項６】
前記天板延長用板部材の表面には、パーティションが立設されている
ことを特徴とする請求項１乃至５のいずれかに記載の家具連結具。
【請求項７】
天板の端面同士が所定の間隔を空けて向かい合うような向きで配置可能な一対の天板付き家具と、
請求項１乃至６のいずれかに記載の家具連結具と、
を備えたことを特徴とする天板延長家具。
【発明の詳細な説明】
【技術分野】
【０００１】
本発明は、家具連結具および天板延長家具に関する。
【背景技術】
【０００２】
現在、オフィス等で使用されているデスク等の既存の天板付き家具に対して、耐震性（すなわち、家具を転倒または横滑させようとする地震、振動等の外力に耐える能力）を高めることが求められており、そのための様々な装置が提案されている。
【０００３】
例えば、特開２０１３−４８８７１号公報（特許文献１）では、天板付き家具を建物の壁面に対して連結する家具連結具が提案されている。この家具連結具は、より詳細には、天板付き家具の天板表面に接着またはビス留めされる第１固定部材と、建物の壁面に接着またはビス留めされる第２固定部材と、第１固定部材と第２固定部材との間を連結する帯状または紐状の連結具本体と、を備えている。
【０００４】
しかしながら、この家具連結具では、天板付き家具が建物の壁面に対して連結されるため、天板付き家具の配置（レイアウト）の変更が困難である。また、この家具連結具では、天板付き家具の天板表面に第１固定部材の接着領域を確保する必要があるため、天板表面の作業性や作業領域が損なわれてしまう。
【０００５】
これらの問題を解決するために、特開２００６−３０７９７６号公報（特許文献２）では、一対の天板付き家具の天板の奥側端面同士を密着させた状態で連結する家具連結具が提案されている。この家具連結具は、より詳細には、天板の互いに向かい合う奥側端面に隣接する他の端面（側面）に取り付られる一対の側面板材と、当該一対の側面板材間に掛け渡されるように配置されて当該一対の側面板材の各々に固定される連結具本体と、を備えている。
【０００６】
ところで、地震、振動等の外力に対して家具の転倒を防止するためには、家具の脚に作用する自重による抵抗モーメントが、家具を転倒させようとする外力による転倒モーメントよりも大きくなければならない。
【０００７】
しかしながら、特許文献２に記載の家具連結具では、天板の奥側端面同士を密着させる必要があるため、連結後の天板付き家具の奥行方向の脚の間隔が、天板の奥行方向の長さの約２倍までしか広げられない。そのため、特に軽量な天板付き家具や重心位置が高い天板付き家具では、連結後の天板付き家具の脚に作用する抵抗モーメントが、奥行方向の外力による転倒モーメントに耐えるのに十分な大きさにならないことがある。また、この家具連結具では、連結後の天板付き家具の天板表面の作業領域を、天板２枚分以上に広げることはできない。更に、この家具連結具では、天板側面に専用の側面板材を取り付ける必要があるため、側面板材の取り付けに材料費及び労力がかかるという不都合もある。
【先行技術文献】
【特許文献】
【０００８】
【特許文献１】特開２０１３−４８８７１号公報
【特許文献２】特開２００６−３０７９７６号公報
【発明の概要】
【発明が解決しようとする課題】
【０００９】
本発明は、以上のような問題点に着目し、これを有効に解決すべく創案されたものである。本発明の目的は、天板付き家具の耐震性を一層高めることができると共に、天板表面の作業領域を天板２枚分以上に広げることができる家具連結具および天板延長家具を提供することにある。
【課題を解決するための手段】
【００１０】
本発明は、天板の端面同士が所定の間隔を空けて向かい合うような向きで配置された一対の天板付き家具の前記天板間に掛け渡されるように配置される連結具本体と、前記連結具本体を、前記一対の天板付き家具の天板の裏面に、または、前記一対の天板付き家具の天板の前記向かい合う端面に隣接する他の端面に、固定するための固定部材と、前記一対の天板付き家具の天板の前記向かい合う端面間に配置されると共に前記連結具本体によって裏面を支持される天板延長用板部材と、を備えたことを特徴とする家具連結具である。
【００１１】
本発明によれば、一対の天板付き家具が、天板の端面同士が所定の間隔を空けて向かい合うように配置された状態で連結具本体により連結されるため、連結後の天板付き家具の脚の間隔は、天板の端面同士が密着される場合に比べて、前記所定の間隔だけ更に広がり得る。これにより、連結後の天板付き家具の脚に作用する抵抗モーメントが増大され、耐震性が一層高まり得る。また、一対の天板付き家具の天板の向かい合う端面間に天板延長用板部材が配置され、当該天板延長用板部材の裏面が連結具本体によって支持されることで、天板表面の作業領域が天板２枚分以上に広がり得る。
【００１２】
好ましくは、前記連結具本体には、前記天板延長用板部材の裏面に当接可能な当接部材が、鉛直方向に高さ位置可変に設けられている。このような態様によれば、天板延長用板部材の表面の高さ位置を、天板表面の高さ位置と一致するように容易に調整することができる。
【００１３】
具体的には、例えば、前記連結具本体の少なくとも一部は、前記天板延長用板部材の裏面と対向するように配置されており、当該一部には、ネジ穴が設けられており、前記当接部材は、前記ネジ穴に螺合されたネジ部材からなる。このような態様によれば、ネジ穴に螺合されたネジ部材を回転させることで、ネジ部材（当接部材）の上端部の高さ位置を容易に微調整することできる。これにより、例えば複数のネジ部材の上端部で天板延長板部材の裏面を支持する場合、各ネジ部材の上端部の高さ位置が互いに一致するように精密に調整されることで、天板延長用板部材にガタツキが生じることが防止され得る。
【００１４】
この場合、更に好ましくは、前記天板延長用板部材の裏面のうち前記ネジ部材に対応する部分には、窪みが形成されている。このような態様によれば、天板延長用板部材の裏面の窪みにネジ部材の上端部が挿入されることで、天板延長用板部材が横滑することが防止され、耐震性が一層高まり得る。
【００１５】
また、好ましくは、前記連結具本体は、前記一対の天板付き家具の天板の裏面側に配置されており、前記固定部材は、前記連結具本体を前記一対の天板付き家具の天板の裏面に固定するようになっている。このような態様によれば、連結具本体及び固定部材が一対の天板付き家具の天板及び天板延長板用部材の裏面側に配置されることで、連結具本体及び固定部材は外観上視認され得ない。そのため、一対の天板付き家具のデザイン性が損なわれることが防止され得る。
【００１６】
前記天板延長用板部材の表面には、パーティションが立設されていてもよい。
【００１７】
また、本発明は、天板の端面同士が所定の間隔を空けて向かい合うような向きで配置可能な一対の天板付き家具と、前記したいずれかの特徴を有する家具連結具と、を備えたことを特徴とする天板延長家具である。
【００１８】
本発明によれば、一対の天板付き家具が、天板の端面同士が所定の間隔を空けて向かい合うように配置された状態で連結具本体により連結されるため、連結後の天板付き家具の脚の間隔は、天板の端面同士が密着される場合に比べて、前記所定の間隔だけ更に広がり得る。これにより、連結後の天板付き家具の脚に作用する抵抗モーメントが増大され、耐震性が一層高まり得る。また、一対の天板付き家具の天板の向かい合う端面間に天板延長用板部材が配置され、当該天板延長用板部材の裏面が連結具本体によって支持されることで、天板表面の作業領域が天板２枚分以上に広がり得る。
【発明の効果】
【００１９】
本発明によれば、一対の天板付き家具が、天板の端面同士が所定の間隔を空けて向かい合うように配置された状態で連結具本体により連結されるため、連結後の天板付き家具の脚の間隔は、天板の端面同士が密着される場合に比べて、前記所定の間隔だけ更に広がり得る。これにより、連結後の天板付き家具の脚に作用する抵抗モーメントが増大され、耐震性が一層高まり得る。また、一対の天板付き家具の天板の向かい合う端面間に天板延長用板部材が配置され、当該天板延長用板部材の裏面が連結具本体によって支持されることで、天板表面の作業領域が天板２枚分以上に広がり得る。
【図面の簡単な説明】
【００２０】
【図１】図１は、本発明の第１の実施の形態による天板延長家具を示す概略斜視図である。
【図２】図２は、図１の天板延長家具の概略平面図である。
【図３】図３は、図１の天板延長家具における家具連結具を拡大して示す概略側面図である。
【図４】図４は、図３の家具連結具の天板延長用板部材の裏面に窪みが設けられた態様を説明するための概略側面図である。
【図５】図５は、図３の家具連結具の天板延長用板部材の表面にパーティションが立設された態様を説明するための概略斜視図である。
【図６】図６は、本発明の第２の実施の形態による天板延長家具を示す概略斜視図である。
【図７】図７は、図６の天板延長家具の概略平面図である。
【図８】図８は、図６の天板延長家具における家具連結具を拡大して示す概略側面図である。
【図９】図９は、図７の天板延長家具のＡ−Ａ線切断断面図である。
【図１０】図１０は、本発明の第３の実施の形態による天板延長家具を示す概略斜視図である。
【図１１】図１１は、図１０の天板延長家具の概略側面図である。
【図１２】図１２は、図１０の天板延長家具における補助連結具の別例を示す概略側面図である。
【発明を実施するための形態】
【００２１】
以下、図面を参照して、本発明の実施の形態について説明する。
【００２２】
図１は、本発明の第１の実施の形態による天板延長家具１０ａを示す概略斜視図である。図２は、図１の天板延長家具１０ａの概略平面図である。図３は、図１の天板延長家具１０ａにおける家具連結具２０を拡大して示す概略側面図である。
【００２３】
図１に示すように、本実施の形態による天板延長家具１０ａは、天板１２ａ、１２ｂの端面１３ａ、１３ｂ同士が所定の間隔を空けて向かい合うような向きで配置可能な一対の天板付き家具１１ａ、１１ｂと、一対の天板付き家具１１ａ、１１ｂを連結するための２個の家具連結具２０と、を備えている。
【００２４】
天板付き家具１１ａ、１１ｂは、具体的には、例えば、オフィス等で使用されているそれ自体は公知のデスク（机、テーブルを含む）である。図１に示すように、本実施の形態の天板付き家具１１ａ、１１ｂは、平面視矩形状を有する天板１２ａ、１２ｂと、側面視「コ」字形状を有し、天板１２ａ、１２ｂの裏面に対して直角に固定された一対の側板１７ａ、１７ｂと、一対の側板１７ａ、１７ｂ間に掛け渡されるように配置されて当該一対の側板１７ａ、１７ｂに固定された背板１６ａ、１６ｂと、を有している。天板１２ａ、１２ｂは、例えば合板からなり、天板１２ａ、１２ｂの厚みは、例えば３０ｍｍである。
【００２５】
図１に示すように、天板１２ａ、１２ｂの裏面と背板１６ａ、１６ｂの上端部との間には、例えば電気コードやネットワークケーブル等を通すことができるように、所定の間隔の隙間が空けられている。また、側板１７ａ、１７ｂの下端部が位置する平面（例えば、地面）と背板１６ａ、１６ｂの下端部との間にも、例えば電気コードやネットワークケーブル等を通すことができるように、所定の間隔の隙間が空けられている。本実施の形態では、側板１７ａ、１７ｂの下端部のみが地面に接しており、すなわち、側板１７ａ、１７ｂが天板付き家具１１ａ、１１ｂを支持する脚を形成している。
【００２６】
図１に示すように、一対の天板付き家具１１ａ、１１ｂは、背板１６ａ、１６ｂ同士が互いに平行に向かい合うような向きで配置されている。天板１２ａ、１２ｂの背板１６ａ、１６ｂ側の端面１３ａ、１３ｂ間には、所定の間隔（例えば、２００ｍｍ）が空けられている。
【００２７】
図３に示すように、本実施の形態の家具連結具２０は、一対の天板付き家具１１ａ、１１ｂの天板１２ａ、１２ｂ間に掛け渡されるように配置される連結具本体２１と、連結具本体２１を、一対の天板付き家具１１ａ、１１ｂの天板１２ａ、１２ｂの裏面に固定するための固定部材２３ａ、２３ｂと、一対の天板付き家具１１ａ、１１ｂの天板１２ａ、１２ｂの向かい合う端面１３ａ、１３ｂ間に配置されると共に連結具本体２１によって裏面を支持される天板延長用板部材２２と、を有している。
【００２８】
連結具本体２１としては、具体的には、例えば、矩形状の断面を有する筒形金具が用いられる。連結具本体２１の軸方向の長さは、例えば４００ｍｍであり、連結具本体２１の矩形状の断面の一辺の長さは、例えば３０ｍｍである。
【００２９】
連結具本体２１は、一対の天板付き家具１１ａ、１１ｂの天板１２ａ、１２ｂの裏面側に配置されており、連結具本体２１の軸線は、向かい合う端面１３ａ、１３ｂに対して直角な向きに向けられている。連結具本体２１の両端部は、それぞれ、天板１２ａ、１２ｂの裏面と背板１６ａ、１６ｂの上端部との間の隙間に挿入されている。これにより、連結具本体２１と背板１６ａ、１６ｂとが物理的に干渉することが防止されている。
【００３０】
各天板１２ａ、１２ｂの裏面にはそれぞれネジ穴１８ａ、１８ｂが設けられており、連結具本体２１の上壁のうち当該ネジ穴１８ａ、１８ｂに対応する部分には貫通孔が空けられている。本実施の形態の固定部材２３ａ、２３ｂは、各連結具本体２１の上壁の貫通孔に上向きに挿通されて、天板１２ａ、１２ｂの裏面のネジ穴１８ａ、１８ｂに螺合されるネジ部材からなる。すなわち、連結具本体２１は、固定部材２３ａ、２３ｂにより天板１２ａ、１２ｂの各裏面にネジ留めされるようになっている。
【００３１】
なお、各天板１２ａ、１２ｂの裏面のネジ穴１８ａ、１８ｂとしては、好ましくは、引き出し等の収納を取り付ける目的で設けられた既存のネジ穴が使用され得る。
【００３２】
図２に示すように、天板延長用板部材２２は、平面視矩形状を有しており、天板１２ａ、１２ｂの向かう合う端面１３ａ、１３ｂ間に水平に配置されている。天板延長用板部材２２は、例えば合板からなる。天板延長用板部材２２の幅は、例えば２００ｍｍであり、厚みは、例えば２０ｍｍである。
【００３３】
図３に示すように、連結具本体２１には、天板延長用板部材２２の裏面に当接可能な当接部材２４が、鉛直方向に高さ位置可変に設けられている。
【００３４】
具体的には、例えば、連結具本体２１のうち天板延長用板部材２２の裏面と対向する部分にネジ穴が設けられており、当接部材２４は、当該ネジ穴に螺合されたネジ部材からなる。本実施の形態では、連結具本体２１の上壁のうち天板延長用板部材２２の裏面と対向する部分には貫通孔が２つ空けられており、連結具本体２１の上壁の下面側には、各貫通孔にそれぞれ対応するようにナット２９が２つ溶接されて固定されている。そして、ネジ部材からなる当接部材２４は、連結具本体２１の上壁の各貫通孔に下向きに挿入されて各ナット２９のネジ穴に螺合されている。ネジ部材からなる当接部材２４が回転することにより、当該当接部材２４の上端部の高さ位置は容易に微調整されるようになっている。
【００３５】
なお、連結具本体２１の上壁の厚みが十分厚い場合には、上壁の貫通孔の内周面にネジ溝を形成してもよい。この場合、ナット２９を省略してもよい。
【００３６】
次に、このような構成からなる本実施の形態の作用について説明する。
【００３７】
図１に示すように、まず、一対の天板付き家具１１ａ、１１ｂが、天板１２ａ、１２ｂの背板１６ａ、１６ｂ側の端面１３ａ、１３ｂ同士が所定の間隔を空けて向かい合うような向きで配置される。
【００３８】
次に、家具連結具２０の連結具本体２１が、天板１２ａ、１２ｂの裏面側において、天板１２ａ、１２ｂ間に掛け渡されるように配置される。本実施の形態では、連結具本体２１の両端部は、それぞれ、天板１２ａ、１２ｂの裏面と背板１６ａ、１６ｂの上端部との隙間に挿入される。連結具本体２１の上壁の貫通孔が天板１２ａ、１２ｂの裏面のネジ穴１８ａ、１８ｂに対応するように位置合わせされる。
【００３９】
次に、ネジ部材からなる固定部材２３ａ、２３ｂが、連結具本体２１の両端部から連結具本体２１の内側に入れられ、連結具本体２１の上壁の貫通孔に上向きに挿通されて、天板１２ａ、１２ｂの裏面のネジ穴１８ａ、１８ｂに螺合される。これにより、連結具本体２１が天板１２ａ、１２ｂの各裏面にネジ留めにより固定される。
【００４０】
次に、ネジ部材からなる当接部材２４が回転され、各当接部材２４の上端部の高さ位置が互いに一致するように精密に調整される。
【００４１】
次に、一対の天板付き家具１１ａ、１１ｂの天板１２ａ、１２ｂの向かい合う端面１３ａ、１３ｂ間に、天板延長用板部材２２が配置される。天板延長用板部材２２の裏面には各当接部材２４の上端部が当接され、天板延長用板部材２２は各当接部材２４を介して連結具本体２１によって支持される。各当接部材２４の上端部の高さ位置が互いに一致するように精密に調整されているため、天板延長用板部材２２にガタツキが生じることが防止され得る。
【００４２】
なお、本件発明者の実際の検証によれば、連結部本体２１上に支持された天板延長用板部材２２は、４０ｋｇ程度の荷重に対して十分に耐え得ることが確認された。従って、例えば、図５に示すように、天板延長用板部材２２の表面には、比較的重量のあるパーティション２７を立設することもできる。
【００４３】
以上のような本実施の形態によれば、一対の天板付き家具１１ａ、１１ｂが、天板１２ａ、１２ｂの端面１３ａ、１３ｂ同士が所定の間隔を空けて向かい合うように配置された状態で連結具本体２１により連結されるため、連結後の天板付き家具１１ａ、１１ｂの脚（本実施の形態では、側板１７ａ、１７ｂ）の間隔は、天板１２ａ、１２ｂの端面１３ａ、１３ｂ同士が密着される場合に比べて、前記所定の間隔だけ更に広がり得る。これにより、連結後の天板付き家具１１ａ、１１ｂの脚に作用する抵抗モーメントが増大され、耐震性が一層高まり得る。
【００４４】
また、本実施の形態によれば、一対の天板付き家具１１ａ、１１ｂの天板１２ａ、１２ｂの向かい合う端面１３ａ、１３ｂ間に天板延長用板部材２２が配置され、当該天板延長用板部材２２の裏面が連結具本体２１によって支持されることで、天板１２ａ、１２ｂ表面の作業領域が天板２枚分以上に広がり得る。
【００４５】
また、本実施の形態によれば、連結具本体２１には、天板延長用板部材２２の裏面に当接可能な当接部材２４が、鉛直方向に高さ位置可変に設けられているため、当接部材２４が当接する天板延長用板部材２２の表面の高さ位置を、天板１２ａ、１２ｂ表面の高さ位置と一致するように容易に調整することができる。
【００４６】
また、本実施の形態によれば、連結具本体２１及び固定部材２３ａ、２３ｂが一対の天板付き家具１１ａ、１１ｂの天板１２ａ、１２ｂ及び天板延長板用部材２２の裏面側に配置されているため、連結具本体２１及び固定部材２３ａ、２３ｂは外観上視認され得ない。そのため、一対の天板付き家具１１ａ、１１ｂのデザイン性が損なわれることが防止され得る。
【００４７】
なお、本実施の形態では、図３に示すように、天板延長用板部材２２の裏面は平坦であったが、図４に示すように、天板延長用板部材２２の裏面のうち当接部材（ネジ部材）２４に対応する部分には、窪み２８が形成されていてもよい。この場合、ネジ部材２４の上端部が窪み２８に挿入されることで、天板延長用板部材２２が横滑することが防止され、耐震性が一層高まり得る。
【００４８】
また、本実施の形態では、図１乃至図３に示すように、一対の天板付き家具１１ａ、１１ｂは、天板１２ａ、１２ｂの背板１６ａ、１６ｂ側の端面（奥側端面）１３ａ、１３ｂが所定の間隔を空けて向かい合うように配置された状態で、家具連結具２０により連結されたが、これに限定されず、天板１２ａ、１２ｂの側板１７ａ、１７ｂ側の端面（側面）１４ａ、１４ｂが所定の間隔を空けて向かい合うように配置された状態で、家具連結具２０により連結されてもよい。
【００４９】
次に、図６乃至図９を参照して、本発明の第２の実施の形態について説明する。
【００５０】
図６は、本発明の第２の実施の形態による天板延長家具を示す概略斜視図である。図７は、図６の天板延長家具の概略平面図である。図８は、図６の天板延長家具における家具連結具を拡大して示す概略側面図である。図９は、図７の天板延長家具のＡ−Ａ線切断断面図である。
【００５１】
図６に示すように、本実施の形態による天板延長家具１０ｂは、第１の実施の形態における家具連結具２０の代わりに、それとは異なる態様の家具連結具３０を備えている。
【００５２】
図６乃至図９に示すように、本実施の形態の家具連結具３０は、一対の天板付き家具１１ａ、１１ｂの天板１２ａ、１２ｂ間に掛け渡されるように配置される連結具本体３１と、連結具本体３１を、一対の天板付き家具１１ａ、１１ｂの天板１２ａ、１２ｂの向かい合う端面１３ａ、１３ｂに隣接する他の端面（側面）１４ａ、１４ｂに固定するための固定部材３３ａ、３３ｂと、一対の天板付き家具１１ａ、１１ｂの天板１２ａ、１２ｂの向かい合う端面１３ａ、１３ｂ間に配置されると共に連結具本体３１によって裏面を支持される天板延長用板部材２２と、を有している。
【００５３】
連結具本体３１としては、具体的には、例えば、細長形状の板状金具が用いられる。連結具本体２１の長手方向の長さは、例えば４００ｍｍである。
【００５４】
連結具本体３１は、各天板１２ａ、１２ｂの側面と向かい合うように配置されている。各天板１２ａ、１２ｂの側面にはそれぞれネジ穴（不図示）が設けられており、連結具本体３１のうち当該ネジ穴に対応する部分には貫通孔が空けられている。本実施の形態の固定部材３３ａ、３３ｂは、連結具本体３１に対して天板１２ａ、１２ｂとは逆側から当該連結具本体３１の貫通孔に挿通されて、天板１２ａ、１２ｂの側面のネジ穴に螺合されるネジ部材からなる。すなわち、連結具本体３１は、固定部材３３ａ、３３ｂにより天板１２ａ、１２ｂの側面にネジ留めされるようになっている。
【００５５】
本実施の形態では、連結具本体３１の少なくとも一部は、天板延長用板部材２２の裏面と対向するように配置されており、当該一部には、ネジ穴が設けられている。具体的には、例えば、図８及び図９に示すように、連結具本体３１のうち天板１２ａ、１２ｂの向かい合う端面１３ａ、１３ｂ間に露出する部分には「Ｌ」字状金具３４が取り付けられており、当該「Ｌ」字状金具３４の下腕部が、天板１２ａ、１２ｂの裏面と対向するように突き出されている。
【００５６】
そして、「Ｌ」字状金具３４の下腕部には貫通孔が２つ空けられており、当該下腕部の下面側には、各貫通孔にそれぞれ対応するようにナット２９が２つ溶接されて固定されている。そして、ネジ部材からなる当接部材２４が、「Ｌ」字状金具３４の下腕部の各貫通孔に下向きに挿入されて各ナット２９のネジ穴に螺合されている。ネジ部材からなる当接部材２４が回転することにより、当該当接部材２４の上端部の高さ位置は容易に調整されるようになっている。
【００５７】
その他の構成は図１乃至図３に示す第１の実施の形態と略同様である。図６乃至図９において、図１乃至図３に示す第１の実施の形態と同一の部分には同一の符号を付して詳細な説明は省略する。
【００５８】
次に、このような構成からなる本実施の形態の作用について説明する。
【００５９】
図６に示すように、まず、第１の実施の形態と同じやり方で、一対の天板付き家具１１ａ、１１ｂが、天板１２ａ、１２ｂの背板１６ａ、１６ｂ側の端面１３ａ、１３ｂ同士が所定の間隔を空けて向かい合うような向きで配置される。
【００６０】
次に、家具連結具３０の連結具本体３１が、天板１２ａ、１２ｂの側面側において、天板１２ａ、１２ｂ間に掛け渡されるように配置される。連結具本体３１の貫通孔が天板１２ａ、１２ｂの側面のネジ穴に対応するように位置合わせされる。
【００６１】
次に、ネジ部材からなる固定部材３３ａ、３３ｂが、連結具本体３１に対して天板１２ａ、１２ｂとは逆側から、連結具本体３１の貫通孔に挿入されて、天板１２ａ、１２ｂの側面のネジ穴に螺合される。これにより、連結具本体２１が各天板１２ａ、１２ｂの側面にネジ留めにより固定される。
【００６２】
次に、ネジ部材からなる当接部材２４が回転され、各当接部材２４の上端部の高さ位置が互いに一致するように精密に調整される。
【００６３】
次に、一対の天板付き家具１１ａ、１１ｂの天板１２ａ、１２ｂの向かい合う端面１３ａ、１３ｂ間に、天板延長用板部材２２が配置される。天板延長用板部材２２の裏面には各当接部材２４の上端部が当接され、天板延長用板部材２２は各当接部材２４を介して連結具本体３１の「Ｌ」字状金具３４によって支持される。各当接部材２４の上端部の高さ位置が互いに一致するように精密に調整されているため、天板延長用板部材２２にガタツキが生じることが防止され得る。
【００６４】
以上のような第２の実施の形態によっても、連結具本体３１及び固定部材３３ａ、３３ｂが外観上視認される点以外は、第１の実施の形態と同様の作用効果が得られる。
【００６５】
なお、本実施の形態においても、図４に示すように、天板延長用板部材２２の裏面のうちネジ部材２４に対応する部分に窪み２８が形成されていてもよい。また、図５に示すように、天板延長用板部材２２の表面にパーティション２７が立設されていてもよい。
【００６６】
また、本実施の形態では、図６乃至図９に示すように、一対の天板付き家具１１ａ、１１ｂは、天板１２ａ、１２ｂの背板１６ａ、１６ｂ側の端面（奥側端面）１３ａ、１３ｂが所定の間隔を空けて向かい合うように配置された状態で、家具連結具３０により連結されたが、これに限定されず、天板１２ａ、１２ｂの側板１７ａ、１７ｂ側の端面（側面）１４ａ、１４ｂが所定の間隔を空けて向かい合うように配置された状態で、家具連結具３０により連結されてもよい。
【００６７】
次に、図１０及び図１１を参照して、本発明の第３の実施の形態について説明する。
【００６８】
図１０は、本発明の第３の実施の形態による天板延長家具を示す概略斜視図である。図１１は、図１０の天板延長家具の概略側面図である。
【００６９】
図１０及び図１１に示すように、第３の実施の形態による天板延長家具１０ｃは、第１の実施の形態と同じ家具連結具２０に加えて、一対の天板付き家具１１ａ、１１ｂを連結するための補助連結具４０を更に備えている。
【００７０】
図１１に示すように、本実施の形態の補助連結具４０は、一対の天板付き家具１１ａ、１１ｂの向かい合う背板１６ａ、１６ｂ間に掛け渡されるように配置される補助連結具本体４１と、補助連結具本体４１を一対の天板付き家具１１ａ、１１ｂの向かい合う背板１６ａ、１６ｂに固定するための補助固定部材４３ａ、４３ｂと、を有している。
【００７１】
補助連結具本体４１は、図１１における左右方向に延びる板状金具からなり、補助連結具本体４１の両端部は、背板１６ａ、１６ｂの下端部と地面との間の隙間に挿入されて更に左右方向に延ばされている。
【００７２】
そして、図１１に示すように、補助連結具本体４１の両端部は、背板１６ａ、１６ｂの向かい合う面とは逆側の裏面側において、上向きに屈曲されており、当該屈曲された部分にはネジ穴が空けられている。
【００７３】
補助固定部材４３ａ、４３ｂは、補助連結具本体４１の両端部のネジ穴に螺合されたネジ部材からなる。ネジ部材からなる補助固定部材４３ａ、４３ｂが回転されることで、補助固定部材４３ａ、４３ｂのネジ先が、一対の天板付き家具１１ａ、１１ｂの背板１６ａ、１６ｂの裏面に当接されるようになっている。
【００７４】
その他の構成は図１乃至図３に示す第１の実施の形態と略同様である。図９及び図１０において、図１乃至図３に示す第１の実施の形態と同一の部分には同一の符号を付して詳細な説明は省略する。
【００７５】
次に、このような構成からなる本実施の形態の作用について説明する。
【００７６】
図１０に示すように、まず、第１の実施の形態と同じやり方で、一対の天板付き家具１１ａ、１１ｂが、天板１２ａ、１２ｂの背板１６ａ、１６ｂ側の端面１３ａ、１３ｂ同士が所定の間隔を空けて向かい合うような向きで配置される。
【００７７】
次に、第１の実施の形態と同じやり方で、家具連結具２０の連結具本体２１が、一対の天板付き家具１１ａ、１１ｂの裏面に対して固定される。そして、一対の天板付き家具１１ａ、１１ｂの天板１２ａ、１２ｂの向かい合う端面１３ａ、１３ｂ間に、天板延長用板部材２２が配置され、天板延長用板部材２２の裏面が各当接部材２４を介して連結具本体２１によって支持される。
【００７８】
次に、補助連結具本体４１が、向かい合う背板１６ａ、１６ｂ間に掛け渡されるように配置される。本実施の形態では、補助連結具本体４１の両端部は、それぞれ、背板１６ａ、１６ｂの下端部と地面との間の隙間に挿入され、背板１６ａ、１６ｂの裏面に向き合うように配置される。
【００７９】
次に、ネジ部材からなる補助固定部材４３ａ、４３ｂが回転され、補助固定部材４３ａ、４３ｂのネジ先が、一対の天板付き家具１１ａ、１１ｂの背板１６ａ、１６ｂの裏面に当接される。
【００８０】
以上のような第３の実施の形態によれば、第１の実施の形態と同様の作用効果が得られる他、背板１６ａ、１６ｂの裏面に補助固定部材４３ａ、４３ｂが当接されることで、背板１６ａ、１６ｂ同士の間隔が家具連結具２０を支点として「ハ」字状に広がることが防止され、一対の天板付き家具１１ａ、１１ｂの耐震性が一層高まり得る。
【００８１】
なお、本実施の形態では、補助連結具本体４１の長さが調整不可能に構成されていたが、図１２に示すように、補助連結具本体４１’の長さが調整可能に構成されていてもよい。
【００８２】
具体的には、例えば、図１２に示すように、補助連結具本体４１’は、一対の筒形金具４１ａ、４１ｂと、両端部が当該一対の筒形金具４１ａ、４１ｂの内部にそれぞれスライド可能に挿入されたコア金具４１ｃと、を有している。
【００８３】
図１２に示すように、一対の筒形金具４１ａ、４１ｂの周壁には当該周壁を貫通するようにネジ穴が空けられており、当該ネジ穴にネジ部材４４ａ、４４ｂが螺合されている。ネジ部材４４ａ、４４ｂが回転されることで、ネジ部材４４ａ、４４ｂのネジ先が筒形金具４１ａ、４１ｂの内側に突き出され、コア金具４１ｃに当接されるようになっている。これにより、コア金具４１ｃがネジ部材４４ａ、４４ｂのネジ先と筒形金具４１ａ、４１ｂの内周面との間で挟まれて摩擦力が発生し、当該摩擦力により、コア金具４１ｃは筒形金具４１ａ、４１ｂに対して固定されるようになっている。
【００８４】
また、本実施の形態では、図１２に示すように、筒形金具４１ａ、４１ｂのコア金具４１ｃとは逆側の端部には、それぞれ、２本の腕部を有する「コ」字状金具４５ａ、４５ｂが、各腕部の先端を上向きに向けられた姿勢で溶接されて固定されている。「コ」字状金具４５ａ、４５ｂのうち筒形金具４１ａ、４１ｂとは逆側の腕部には当該腕部を貫通するようにネジ穴が空けられており、当該ネジ穴にネジ部材からなる補助固定部材４３ａ、４３ｂが螺合されている。また、「コ」字状金具４５ａ、４５ｂのうち筒形金具４１ａ、４１ｂ側の腕部の内面には、弾性部材４６ａ、４６ｂ（例えば、ゴム）が取り付けられている。
【００８５】
このような構成からなる補助連結具４０’では、補助連結具本体４１’が、一対の天板付き家具１１ａ、１１ｂの向かい合う背板１６ａ、１６ｂ間に掛け渡されるように配置される際に、背板１６ａ、１６ｂの下端部が、それぞれ、各「コ」字状金具４５ａ、４５ｂの２本の腕部の間に挿入される。
【００８６】
次に、筒形金具４１ａ、４１ｂがコア金具４１ｃに対してスライドされて、補助連結具本体４１’が長手方向に伸長され、「コ」字状金具４５ａ、４５ｂのうち筒形金具４１ａ、４１ｂ側の腕部に取り付けられた弾性部材４６ａ、４６ｂが、背板１６ａ、１６ｂの互いに向かい合う面に当接される。この状態で、ネジ部材４４ａ、４４ｂが回転され、コア金具４１ｃが筒形金具４１ａ、４１ｂに対して固定される。
【００８７】
次に、ネジ部材からなる補助固定部材４３ａ、４３ｂが回転され、補助固定部材４３ａ、４３ｂのネジ先が、背板１６ａ、１６ｂの裏面に当接される。
【００８８】
このような態様によれば、補助連結具４０’が一対の天板付き家具１１ａ、１１ｂの背板１６ａ、１６ｂの裏面だけでなく向かい合う面にも当接されることで、背板１６ａ、１６ｂ同士が補助連結具４０’を介して一層強固に連結され得る。これにより、一対の天板付き家具１１ａ、１１ｂの耐震性が一層高まり得る。
【００８９】
なお、以上のような第１乃至第３の実施の形態では、一対の天板付き家具１１ａ、１１ｂは、それ自体は公知のデスク（机、テーブルを含む）であったが、これに限定されず、例えば、それ自体は公知のベンチ（椅子、スツールを含む）であってもよい。
【符号の説明】
【００９０】
１０ａ  天板延長家具
１０ｂ  天板延長家具
１０ｃ  天板延長家具
１１ａ、１１ｂ  天板付き家具
１２ａ、１２ｂ  天板
１３ａ、１３ｂ  向かい合う端面
１４ａ、１４ｂ  他の端面（側面）
１６ａ、１６ｂ  背板
１７ａ、１７ｂ  側板
１８ａ、１８ｂ  ネジ穴
２０    家具連結具
２１    連結具本体
２２    天板延長用板部材
２３ａ、２３ｂ  固定部材
２４    当接部材
２７    パーティション
２８    窪み
２９    ナット
３０    家具連結具
３１    連結具本体
３３ａ、３３ｂ  固定部材
３４    「Ｌ」字状金具
４０    補助連結具
４０’  補助連結具
４１    補助連結具本体
４１’  補助連結具本体
４１ａ、４１ｂ  筒形金具
４１ｃ  コア金具
４３ａ、４３ｂ  補助固定部材
４４ａ、４４ｂ  ネジ部材
４５ａ、４５ｂ  「コ」字状金具
４６ａ、４６ｂ  弾性部材
【図１】
2015089446.tif 000003
【図２】
2015089446.tif 000004
【図３】
2015089446.tif 000005
【図４】
2015089446.tif 000006
【図５】
2015089446.tif 000007
【図６】
2015089446.tif 000008
【図７】
2015089446.tif 000009
【図８】
2015089446.tif 000010
【図９】
2015089446.tif 000011
【図１０】
2015089446.tif 000012
【図１１】
2015089446.tif 000013
【図１２】
2015089446.tif 000014